(57)【要約】      （修正有）【課題】通信規格で一度に送信可能なデータ量を有効に利用して、複数のコードデータを一度に送信することで、送信回数を少なくすることが可能なガスメータシステムを提供する。【解決手段】ガスメータと、ガスメータと第１通信規格に準拠した所定の電文５０を用いて通信を行うセンター装置からなり、所定の電文５０は、命令コード５２ａと、第１通信規格に準拠して通信内容が定義されたコードデータを複数まとめた付加データ５２ｂを含んでいる構成とする。【選択図】図２
2020042373.tif 000002
【特許請求の範囲】
【請求項１】
ガスメータと、該ガスメータと第１通信規格に準拠した所定の電文を用いて通信を行うセンター装置からなり、
前記所定の電文は、前記第１通信規格に準拠して通信内容が定義されたコードデータを複数連結した付加データを含むことを特徴とするガスメータシステム。
【請求項２】
ガスメータと、該ガスメータと第１通信規格に準拠した所定の電文を用いて通信を行うセンター装置からなり、
前記所定の電文は、前記第１通信規格より通信速度が低速の第２通信規格に準拠して通信内容が定義されたコマンドデータを複数連結した付加データを含むことを特徴とするガスメータシステム。
【請求項３】
ガスメータと、該ガスメータと第１通信規格に準拠した所定の電文を用いて通信を行うセンター装置からなり、
前記所定の電文は、前記第１通信規格に準拠して通信内容が定義されたコードデータ及び／又は前記第１通信規格より通信速度が低速の第２通信規格に準拠して通信内容が定義されたコマンドデータを複数連結した付加データを含むことを特徴とするガスメータシステム。
【請求項４】
前記付加データは、前記第１通信規格と前記第２通信規格の種別と、前記コードデータと前記コマンドデータのデータ長とを指定しながら連結して構成されたことを特徴とする請求項３に記載のガスメータシステム。
【請求項５】
前記付加データは、前記コードデータまたは前記コマンドデータを所定のコードで区切りながら連結して構成されたことを特徴とする請求項１〜３のいずれか１項に記載のガスメータシステム。
【請求項６】
前記付加データは、所定のデータを前記ガスメータから要求する要求コードと、ガスメータに対する設定を行う設定コードと、ガスメータに対してガスの遮断等を命令する制御コードの何れか２つ以上を含むことを特徴とする請求項１〜５のいずれか１項に記載のガスメータシステム。
【発明の詳細な説明】
【技術分野】
【０００１】
本発明は、ガスメータとセンター装置で構成されたガスメータシステムにおける通信方法に関するものである。
【背景技術】
【０００２】
この種のガスメータシステムにおいて、ガスメータで得られた検針値などの種々のデータを取得したり、或いは、ガスメータに対して時刻等を設定するための通信仕様は規格化されており、現在、都市ガス用のＡライン通信、ＬＰガス用のＮライン通信といわれる通信規格を用いる通信方法が普及している。また、近年では、Ａライン通信やＮライン通信の通信速度（２００〜３００ｂｐｓ）よりも高速（９６００ｂｐｓ）の通信規格であるＵバス通信が規格化され、このＵバス通信に対応したインターフェースを有するガスメータも普及しつつある。
【０００３】
そして、Ｎライン通信とＵバス通信で異なる通信プロトコルを相互に変換する変換器を利用した集中監視システムが提案されている（例えば、特許文献１参照）。これによると、Ｕバス通信により監視を行う監視装置が、Ｎライン通信機能のみを有するガスメータと通信する場合、監視装置は、ガスメータに複数のデータを要求する際に、Ｕバス通信の通信規格に基づき複数の要求データをまとめて１つの要求電文として送信し、変換器が、通信速度の遅いＮライン通信の仕様に合わせて変換して、個々のデータをそれぞれについてガスメータと通信を行った後、ガスメータから得られた複数のデータをまとめた応答電文を作成して監視装置にＵバス通信で送信する構成としている。
【先行技術文献】
【特許文献】
【０００４】
【特許文献１】特開２０１７−４５２２７号公報
【発明の概要】
【発明が解決しようとする課題】
【０００５】
Ｎライン通信の通信規格は、通信速度が低速であり、一度に複数のデータを送受信することが困難であるため、その電文は、要求データの種類や設定データの種類、対応する要求データや設定データを１つのコマンドコードとして定義されており、要求データの種類や応答データの種類に応じた数のコマンドコードが体系化され規格化されている。
【０００６】
図６は、Ｕバス通信規格における電文構成の一例を示すもので、電文１００は、送信元のアドレスや宛先などの通信情報を指定するヘッダー１０１と、データ部１０２から構成されており、データ部１０２は、ガスメータ１０との通信内容であり、ここでは、指針値とセキュリティデータと漏洩日数を要求するコードデータＵ１として定義されている。そして、コードデータＵ１は、図６（ｂ）に示すように命令コード１０２ａと、命令コード１０２ａに対応して必要に応じて付加される付加データ１０２ｂとで構成されている。
【０００７】
電文には、センター装置がガスメータに対してデータを要求する要求電文、センター装置がガスメータに対して各種の設定を行う設定電文、センター装置がガスメータに対してガスの遮断等を命令する制御電文、ガスメータがセンター装置からの電文に応じてデータ等を送信する応答電文があり、命令コードは、データの種類、設定の種類、命令等に応じて種々のコードが定められている。
【０００８】
付加される付加データは、設定電文であれば設定値、要求電文であれば要求するデータ
の種別値、応答電文であれば要求があったデータ等、必要に応じて命令コードと共に付加される。
【０００９】
そして、Ｕバス通信で使用されるコードデータは、Ｎライン通信に比べ通信速度が高速になった分、情報量を大きくできる為、Ｎライン通信で規格化されたコマンドデータを目的に応じて単独、若しくは複数組み合わせて構成されており、より多くの情報を一度に通信できる仕様となっている。
【００１０】
図６（ｃ）はＵバス通信の付加データの一例を示すもので、Ｎライン通信で定義された指針値を要求するコマンドデータＮ１、セキュリティデータを要求するコマンドデータＮ２、漏洩日数を要求するコマンドデータＮ３を連結して構成されている。なお、この場合の命令コード１０２ａは、指針値とセキュリティデータと漏洩日数の３つのデータを要求するためのコードとして定義されたコードである。
【００１１】
従って、指針値とセキュリティデータと漏洩日数の３つのデータを要求する場合、Ｎライン通信では、３つの電文による３回の通信が必要であったが、Ｕバス通信によると、１つの電文による１回の通信で実現することができる。
【００１２】
このように、Ｕバス通信は、Ｎライン通信に対して高速の通信が可能になったことからＮライン通信では個々に通信が必要であった複数のデータを一度に通信できるようになったものの、要求データの種類や応答データの種類は、Ｎライン通信で規格化された種類に対応するために、Ｎライン通信で規格化されたコマンドデータを複数組み合わせて１つのコードデータとしており、要求データの種類や設定データの種類、あるいは、メータを特定するコード等からなる命令コードと、対応する要求データや設定データである付加データの組み合わせで定義されている。
【００１３】
したがって、前述のように必要な複数のデータ（指針値とセキュリティデータと漏洩日数の３つのデータ）が１つのコードデータＵ１として定義されている場合は、１つの要求電文で通信を行うことができるものの、必要な複数のデータが１つのコードデータとして定義されていない場合、例えば、指針値とセキュリティデータと遮断データ詳細値の３つのデータが必要で、この３つのデータを要求するコードデータが定義されていない場合は、コードデータＵ１を用いた電文で指針値とセキュリティデータと漏洩日数のデータを取得した後、遮断データ詳細値のデータ要求を含む別のコードデータ（Ｕ２とする）を用いた電文で更に通信する必要が生じるという課題があった。
【００１４】
或いは、必要なデータ（指針値とセキュリティデータと遮断データ詳細値）を１回の通信で取得するためには、このデータの組み合わせを定義した新たなコードデータ（コードデータＵ３とする）を追加する必要がある。
【００１５】
図７はこのコードデータＵ３を含む電文を示すもので、電文２００は、ヘッダー部２０１とデータ部２０２（コードデータＵ３）からなり、コードデータＵ３は、命令コード２０２ａと付加データ２０２ｂから構成されている。そして、付加データ２０２ｂは、Ｎライン通信で定義された指針値を要求するコマンドデータＮ１、セキュリティデータを要求するコマンドデータＮ２、遮断データ詳細値を要求するコマンドデータＮ４をまとめたものとして構成されて定義されることになる。
【００１６】
しかし、この場合は、この新たなコードデータＵ３に対応したガスメータでなければ、必要なータデータを１回の通信で取得することはできなかった。つまり、コードデータＵ３が定義される以前の製造されたガスメータの場合は、１回の通信で必要なデータ（指針値とセキュリティデータと遮断データ詳細値）を取得することはできなかった。
【００１７】
なお、ガスメータは、一度設置されると検定期間満了となる期間（例えば、１０年間）は交換されず、また、ガスメータは電池を電源としている為、電池寿命の関係で新たに定義されたコードデータＵ３に対応したプログラムの更新も困難であることから、全てのガスメータが新たに定義されたコードデータＵ３に対応できるようになるまで１０年を要することになる。
【００１８】
以上のように、高速の通信規格であるＵバス通信においても、必要なデータを得るために複数の通信を行う必要が生じると、通信のトラフィックが増大し、スマートメータ化が進む中での課題となる。また、ガスメータは電池を電源としているため、複数の通信を行うことは、消費電流の増大を伴い、高容量の電池を搭載する必要が生じガスメータ自体が大型化するといった課題があった。
【００１９】
本発明は、前記従来の課題を解決するもので、低速の通信規格で定義されたコマンド体系と、高速の通信規格で定義されたコマンド体系を組み合わせた電文により、必要なデータの取得、あるいは、設定を１回の通信で可能とするガスメータシステムを提供することを目的とする。
【課題を解決するための手段】
【００２０】
前記従来の課題を解決するために、本発明のガスメータシステムは、ガスメータと、該ガスメータと第１通信規格に準拠した所定の電文を用いて通信を行うセンター装置からなり、前記所定の電文は、前記第１通信規格に準拠して通信内容が定義されたコードデータを複数連結した付加データを含むことを特徴とするものである。
【００２１】
これによって、通信規格で一度に送信可能なデータ量を有効に利用して、複数のコードデータを一度に送信することで、通信時間の短縮や無線通信のトラフィックの削減を図ることができる。
【００２２】
また、既存の電文コードの組み合わせを可能とすることで、新たな電文コードを規格化する必要もなくなるので、ガスメータを交換しなくても、複数のコードデータを一度に送信することが可能となる。
【発明の効果】
【００２３】
本発明のガスメータシステムによると、通信時間の短縮や無線通信のトラフィックの削減を図ることができると共に、新たな電文コードを規格化する必要もなくなる。
【図面の簡単な説明】
【００２４】
【図１】本発明の実施の形態１〜３におけるガスメータシステムの構成図
【図２】（ａ）〜（ｃ）本発明の実施の形態１における電文構成を説明する図
【図３】（ａ）〜（ｃ）本発明の実施の形態２における電文構成を説明する図
【図４】（ａ）〜（ｃ）本発明の実施の形態３における電文構成を説明する図
【図５】（ａ）〜（ｃ）本発明の実施の形態３における他の実施例の電文構成を説明する図
【図６】Ｕバス通信規格の電文構成の１例を説明する図
【図７】Ｕバス通信規格の電文構成の他の例を説明する図
【発明を実施するための形態】
【００２５】
第１の発明は、ガスメータと、該ガスメータと第１通信規格に準拠した所定の電文を用いて通信を行うセンター装置からなり、前記所定の電文は、前記第１通信規格に準拠して通信内容が定義されたコードデータを複数連結した付加データを含むことを特徴とするガ
スメータシステムであり、通信規格で一度に送信可能なデータ量を有効に利用して、複数のメータ制御コードを一度に送信することで、送信回数を少なくすることができる。
【００２６】
第２の発明は、ガスメータと、該ガスメータと第１通信規格に準拠した所定の電文を用いて通信を行うセンター装置からなり、前記所定の電文は、前記第１通信規格より通信速度が低速の第２通信規格に準拠して通信内容が定義されたコマンドデータを複数連結した付加データを含むことを特徴とするガスメータシステムである。
【００２７】
第３の発明は、ガスメータと、該ガスメータと第１通信規格に準拠した所定の電文を用いて通信を行うセンター装置からなり、前記所定の電文は、前記第１通信規格に準拠して通信内容が定義されたコードデータ及び／又は前記第１通信規格より通信速度が低速の第２通信規格に準拠して通信内容が定義されたコマンドデータを複数連結した付加データを含むことを特徴とするガスメータシステムである。
【００２８】
第４の発明は、特に第３の発明において、前記付加データは、前記第１通信規格と前記第２通信規格の種別と、前記コードデータと前記コマンドデータのデータ長とを指定しながら連結して構成されたことを特徴とするものである。
【００２９】
第５の発明は、特に第１〜３のいずれか１つの発明において、前記付加データは、前記コードデータまたは前記コマンドデータを所定のコードで区切りながら連結して構成されたことを特徴とするものである。
【００３０】
第６の発明は、特に第１〜５のいずれか１つの発明において、前記付加データは、所定のデータを前記ガスメータから要求する要求コードと、ガスメータに対する設定を行う設定コードと、ガスメータに対してガスの遮断等を命令する制御コードの何れか２つ以上を含むことを特徴とするものである。
【００３１】
以下、本発明の実施の形態について、図面を参照しながら説明する。なお、この実施の形態によって本発明が限定されるものではない。
【００３２】
（実施の形態１）
図１は、本実施の形態におけるガスメータシステムの構成を示す図で、図に示すように、ガスメータシステムは、ガスメータ１０と、ガスメータ１０に接続された無線子機２０と、無線子機２０と通信を行う無線親機３０と、無線親機３０と通信を行いガスメータ１０を監視するセンター装置４０で構成されている。
【００３３】
ガスメータ１０は、図示していない流量計側部によるガス使用量の計測や積算、或いは、ガスを遮断する機能を有するとともに、Ｕバス通信用のインターフェース１１を有しており、センター装置４０からの電文に基づき、積算値を送信したり、センター装置４０からの指示によりガスを遮断することができる。
【００３４】
無線子機２０は、ガスメータ１０と通信を行うためのＵバス通信用のインターフェース２１及び無線親機３０との通信を行うための無線通信部２２を有している。無線親機３０は、無線子機２０との通信を行うための無線通信部３１およびセンター装置４０と通信を行う通信部３２を有し、図では無線子機を１つのみ示しているが、複数の無線子機との通信が可能である。
【００３５】
センター装置４０と無線親機３０との通信は、電話回線、携帯電話回線、ネット回線あるいは、無線通信など、種々の回線網Ａを利用でき、特に制限はない。
【００３６】
以上の構成により、センター装置４０は無線親機３０と通信を行うことで、無線親機３０、無線子機２０を介してガスメータ１０と通信が可能であり、通信には、所定の通信規格に準拠した電文が使用される。
【００３７】
なお、本実施の形態のガスメータシステムの構成は一例であり、無線子機がガスメータに内蔵された構成や、無線親機が別のガスメータの無線子機の機能を有する形態、あるいは、無線子機が中継機能を有することで、多段中継を行うなど、種々の構成が考えられる。
【００３８】
また、ガスメータとセンター装置とが携帯電話回線により直接通信を行うことで、無線親機による中継を必要としない構成も考えられる。
【００３９】
以下、本実施の形態の具体的な電文構成について、図２を用いて説明する。図２は、本実施の形態における電文構成を示すもので、電文５０は、Ｕバス通信の基本構成であるヘッダー部５１とデータ部５２から構成され、データ部５２は、命令コード５２ａと付加データ５２ｂから構成されている。
【００４０】
そして、本実施の形態では、付加データ５２ｂをＵバス通信の規格に対応した２つのコードデータＵ１とコードデータＵ２を区切コード５３を間に入れて連結した合成コードとして構成したものである。このとき、命令コード５２ａは、付加データ５２ｂが、Ｕバスの通信規格で定義された既存のコードデータが区切コード５３で区分されて複数連結されていることを示すものとして定義されたコードである。
【００４１】
この電文構成によると、この電文５０を受けたガスメータ１０は、命令コード５２ａを認識することで、後に続く付加データ５２ｂが既存のコードデータを複数合成したコードであることを識別でき、区切コード５３毎にコードデータを分割して判別することができ、センター装置４０からの指示を解読することができる。
【００４２】
従って、電文５０を解読したガスメータ１０は、コードデータＵ１に基づき、指針値とセキュリティデータと漏洩日数、及び、コードデータＵ２に基づき、遮断データ詳細値を含むその他のデータを応答電文として、無線子機２０、無線親機３０を介してセンター装置４０に送信することができるので、センター装置４０は必要なデータである指針値とセキュリティデータと遮断データ詳細値を１回の通信で取得することができる。
【００４３】
（実施の形態２）
次に、実施の形態２における電文構成を、図３を用いて説明する。ガスメータシステムの構成は図１と同様である。
【００４４】
なお、本実施の形態において、第１通信規格をＵバス通信規格とし、第１通信規格よりも低速な第２通信規格をＮライン通信規格として説明する。
【００４５】
図３は、本実施の形態における電文構成を示すもので、電文６０は、Ｕバス通信の基本構成であるヘッダー部６１とデータ部６２から構成され、データ部６２は、命令コード６２ａと付加データ６２ｂから構成されている。
【００４６】
そして、本実施の形態では、付加データ６２ｂをＮライン通信の規格に準拠したコマンドデータを複数連結して構成している。具体的には、付加データ６２ｂを、指針値を要求するコマンドデータＮ１、セキュリティデータを要求するコマンドデータＮ２、遮断データ詳細値を要求するコマンドデータＮ４を区切コード６３を挿入しながら連結した合成コードとして構成している。このとき、命令コード６２ａは、付加データ６２ｂが、Ｎライ
ン通信規格によるコマンドデータが区切コード６３で区分されて複数連結されていることを示すものとして定義されたコードである。
【００４７】
この電文構成によると、この電文６０を受けたガスメータ１０は、命令コード６２ａを認識することで、後に続く付加データ６２ｂがＮライン通信規格によるコマンドデータが複数構成されたデータであることを識別でき、区切コード６３毎にコマンドデータを分割して判別することができ、センター装置４０からの指示を解読することができる。
【００４８】
従って、電文６０を解読したガスメータ１０は、Ｎライン通信規格のコマンドデータＮ１、Ｎ２、Ｎ４に基づき、指針値とセキュリティデータと遮断データ詳細値を応答電文として、無線子機２０、無線親機３０を介してセンター装置４０に送信することができるので、センター装置４０は必要なデータである指針値とセキュリティデータと遮断データ詳細値を１回の通信で取得することができ、単時間で取得できる。
【００４９】
（実施の形態３）
次に、実施の形態３における電文構成を、図４を用いて説明する。ガスメータシステムの構成は図１と同様である。
【００５０】
なお、本実施の形態において、第１通信規格をＵバス通信規格とし、第１通信規格よりも低速な第２通信規格をＮライン通信規格として説明する。
【００５１】
図４は、本実施の形態における電文構成を示すもので、電文７０は、Ｕバス通信の基本構成であるヘッダー部７１とデータ部７２から構成され、データ部７２は、命令コード７２ａと付加データ７２ｂから構成されている。
【００５２】
そして、本実施の形態では、付加データ７２ｂをＵバス通信の規格に準じた指針値とセキュリティデータと漏洩日数を要求するコードデータＵ１とＮライン通信に準拠した遮断データ詳細値の要求コマンドであるコマンドデータＮ４とを、通信規格（本実施の形態では、Ｕバス通信とＮライン通信）の種別７３とデータ長７４を指定して連結した合成コードとして構成したものである。このとき、命令コード７２ａは、付加データ７２ｂが、Ｕバス通信の通信規格によるコードデータとＮライン通信規格によるコマンドデータがその通信規格の種別７３とデータ長７４を指定して複数連結されていることを示すものとして定義されたコードである。
【００５３】
この電文構成によると、この電文７０を受けたガスメータ１０は、命令コード７２ａを認識することで、後に続く付加データ７２ｂがＵバス通信規格のコードデータとＮライン通信規格によるコマンドデータが複数連結して構成されたデータであることを識別でき、種別７３とデータ長７４に基づき、付加データ７２ｂを分割して判別することができ、センター装置４０からの指示を解読することができる。
【００５４】
また、図５は、本実施の形態における他の実施例の電文構成を示すもので、電文８０は、Ｕバス通信の基本構成であるヘッダー部８１とデータ部８２から構成され、データ部８２は、命令コード８２ａと付加データ８２ｂから構成されている。
【００５５】
そして、付加データ８２ｂをＵバス通信の規格に準じた指針値とセキュリティデータと漏洩日数を要求するコードデータＵ１とＮライン通信に準拠した遮断データ詳細値の要求コマンドであるコマンドデータＮ４とを、通信規格の種別を示す区切コード８３，８４を付加して連結して合成コードとして構成したものである。このとき、命令コード８２ａは、付加データ８２ｂが、Ｕバス通信の通信規格によるコードデータとＮライン通信規格によるコマンドデータがその通信規格の種別で区分される区切コードをデータの後に付加し
て複数連結されていることを示すものとして定義されたコードである。
【００５６】
この電文構成によると、この電文８０を受けたガスメータ１０は、命令コード８２ａを認識することで、後に続く付加データ８２ｂがＵバス通信規格のコードデータとＮライン通信規格によるコマンドデータが複数連結して構成されたデータであることを識別でき、区切コード８３，８４に基づき、付加データ８２ｂを分割して判別することができ、センター装置４０からの指示を解読することができる。
【００５７】
従って、電文７０、８０を解読したガスメータ１０は、コードデータＵ１とコマンドデータＮ４に基づき、指針値とセキュリティデータと漏洩日数と遮断データ詳細値を応答電文として、無線子機２０、無線親機３０を介してセンター装置４０に送信することができるので、センター装置４０は必要なデータである指針値とセキュリティデータと遮断データ詳細値を１回の通信で取得することができる。
【００５８】
このように、通信規格の種別とデータ長、或いは区切コードを指定して連結すれば、Ｕバス通信で規格化された複数のデータを１つで扱えるコードデータと、Ｎライン通信で規格化されたコマンドデータを混在して電文を作成できるので、必要となる複数のデータを１回の通信で取得することができる。
【００５９】
なお、上記実施の形態では付加データ７２ｂ、８２ｂをＵバス通信のコードデータＵ１とＮライン通信のコマンドデータＮ４の２つのコードの合成コードで説明したが、Ｕバス通信のコードデータのみ、或いは、Ｎライン通信のコマンドデータのみの合成コードで構成できること、および、２つのコードだけでなく、３つ以上のコードを組み合わせて合成コードを構成できることは言うまでもない。
【００６０】
以上のように、本実施の形態１〜３によると、通信規格で一度に送信可能なデータ量を有効に利用して、複数のコードデータを一度に送信することで、通信時間の短縮や無線通信のトラフィックの削減を図ることができる。
【００６１】
また、既存の電文コードの組み合わせを可能とすることで、新たな電文コードを規格化する必要もなくなる。
【００６２】
更に、ガスメータにおける電文の解読処理は、マイクロコンピュータのプログラムで実現できるが、本実施の形態における電文構成を解読できるプログラム、即ち、命令コード５２ａ、６２ａ、７２ａ、８２ａの定義に対応して、付加データ５２ｂ、６２ｂ、７２ｂ、８２ｂを解読できるプログラムが組み込まれたガスメータであれば、前述の新たなコードデータＵ３に対応していなくても、１つの電文で必要な通信を行うことができる。
【００６３】
なお、Ｕバス通信規格においても、１回の通信で可能な通信容量には制限があるが、センター装置が、この制限を考慮して、コードデータやコマンドデータの組み合わせを設定する必要があることは言うまでもない。
【００６４】
また、本実施の形態では、ガスメータ１０が持つ種々のデータをセンター装置４０で取得する要求電文について具体的に説明したが、通信の電文には、センター装置４０がガスメータ１０に対してデータを要求する要求電文、センター装置４０がガスメータ１０に対して各種の設定を行う設定電文、センター装置４０がガスメータ１０に対してガスの遮断等を命令する制御電文、ガスメータ１０がセンター装置４０からの電文に応じてデータ等を送信する応答電文があり、その内、センター装置４０がガスメータ１０に対して発信する要求電文と設定電文と制御電文に対応するコードの内の何れか２つ以上を付加データとすることで同じ電文に含めて送る構成としても良い。
【産業上の利用可能性】
【００６５】
以上のように、本発明にかかるガスメータシステムは、種々のガスメータの通信規格として適用できる。
【符号の説明】
【００６６】
１０  ガスメータ
４０  センター装置
５０、６０、７０、８０  電文
Ｕ１、Ｕ２、Ｕ３  コードデータ
Ｎ１、Ｎ２、Ｎ３、Ｎ４  コマンドデータ
５２ｂ、６２ｂ、７２ｂ、８２ｂ  付加データ
５３、６３、８３、８４  区切コード
【図１】
2020042373.tif 000003
【図２】
2020042373.tif 000004
【図３】
2020042373.tif 000005
【図４】
2020042373.tif 000006
【図５】
2020042373.tif 000007
【図６】
2020042373.tif 000008
【図７】
2020042373.tif 000009